【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
ワイヤレスパワートランスミッタであって、
ＬＣタンク回路と、前記ＬＣタンク回路に結合される少なくとも１つのトランジスタとを含む、パワートレインと、
前記パワートレインに関連付けられるアナログ信号を受信してデジタル値に変換するように結合されるアナログデジタルコンバータ（ＡＤＣ）と、
前記パワートレインに結合されるコントローラであって、
パルスを前記パワートレインの前記少なくとも１つのトランジスタに印加させて、それにより、前記パワートレインの前記ＬＣタンク回路にリンギングを開始させ、
前記パワートレインがリンギングする間であって前記パルスが終了した後に得られる前記ＡＤＣからのデジタル値を受信し、
前記パワートレインの前記リンギングの前記デジタル値の分析に基づいて、前記ワイヤレスパワートランスミッタ上又は付近にワイヤレスパワーレシーバが存在するか否か、又は前記ワイヤレスパワートランスミッタ上又は付近に異物が存在するか否かを判定する、
ように構成される、前記コントローラと、
を含む、ワイヤレスパワートランスミッタ。
【請求項２】
請求項１に記載のワイヤレスパワートランスミッタであって、
前記リンギングの持続期間が空ワイヤレスパワートランスミッタ持続期間閾値を超えることに基づいて、前記コントローラが、前記ワイヤレスパワートランスミッタ上又は付近にワイヤレスパワーレシーバも異物も存在しないと判定するように構成される、ワイヤレスパワートランスミッタ。
【請求項３】
請求項１に記載のワイヤレスパワートランスミッタであって、
前記コントローラが、
リンギング期間の初めに前記ＡＤＣからの前記デジタル値の初期ピーク振幅を判定し、
前記リンギング期間の間に、前記デジタル値の減衰率を判定し、
前記初期ピーク振幅がピーク振幅閾値を超えることと前記減衰率が減衰率閾値を超えることとに基づいて、前記ワイヤレスパワートランスミッタ上又は付近に異物が存在すると判定する、
ように更に構成される、ワイヤレスパワートランスミッタ。
【請求項４】
請求項３に記載のワイヤレスパワートランスミッタであって、
前記初期ピーク振幅が前記ピーク振幅閾値を超えないこと又は前記減衰率が前記減衰率閾値を超えないことと、
前記リンギングの持続期間が空ワイヤレスパワートランスミッタ持続期間閾値を超えないことと、
に基づいて、前記コントローラが、異物を備えないワイヤレスパワーレシーバが前記ワイヤレスパワートランスミッタ上又は付近に存在すると判定する、ように更に構成される、ワイヤレスパワートランスミッタ。
【請求項５】
請求項３に記載のワイヤレスパワートランスミッタであって、
前記コントローラが、
前記リンギングの前記共振周波数を判定し、
前記判定された共振周波数に基づいて、前記ピーク振幅閾値と前記減衰率閾値との各々を計算する、
ように更に構成される、ワイヤレスパワートランスミッタ。
【請求項６】
請求項２に記載のワイヤレスパワートランスミッタであって、
前記コントローラが、
前記リンギングの前記共振周波数を判定し、
前記共振周波数が異物周波数閾値を超えることに基づいて及び前記リンギングの持続期間が前記空ワイヤレスパワートランスミッタ持続期間閾値を超えないことに基づいて、前記ワイヤレスパワートランスミッタ上又は付近に異物が存在すると判定する、
ように更に構成される、ワイヤレスパワートランスミッタ。
【請求項７】
請求項２に記載のワイヤレスパワートランスミッタであって、
前記コントローラが、
前記リンギングの前記共振周波数を判定し、
前記共振周波数がワイヤレスパワーレシーバ周波数閾値を下回ることに基づいて、及び前記リンギングの持続期間が前記空ワイヤレスパワートランスミッタ持続期間閾値を超えないことに基づいて、異物を備えないワイヤレスパワーレシーバが前記ワイヤレスパワートランスミッタ上又は付近に存在すると判定する、
ように更に構成される、ワイヤレスパワートランスミッタ。
【請求項８】
請求項２に記載のワイヤレスパワートランスミッタであって、
前記コントローラが、
前記共振周波数と前記リンギングの減衰率とを判定し、
前記リンギングの持続期間が前記空ワイヤレスパワートランスミッタ持続期間を超えないことに基づいて、前記共振周波数が、ワイヤレスパワーレシーバ周波数閾値と異物周波数閾値との間であるかを判定し、
前記共振周波数が前記ワイヤレスパワーレシーバ周波数と異物周波数閾値との間にあるという判定と、
前記減衰率が減衰率閾値を超え、前記リンギングの持続期間がリンギング持続期間閾値を超えるという判定と、
に基づいて、異物を備えないワイヤレスパワーレシーバが前記ワイヤレスパワートランスミッタ上又は付近に存在すると判定する、
ように更に構成される、ワイヤレスパワートランスミッタ。
【請求項９】
請求項８に記載のワイヤレスパワートランスミッタであって、
前記共振周波数が前記ワイヤレスパワーレシーバ閾値周波数と前記異物周波数閾値との間であるという判定に基づいて、前記減衰率が前記減衰率閾値を超えないか又は前記リンギングの持続期間が前記リンギング持続期間閾値を超えないかのいずれかの場合に、前記コントローラが、前記ワイヤレスパワートランスミッタ上又は付近に異物が存在すると判定する、ように更に構成される、ワイヤレスパワートランスミッタ。
【請求項１０】
請求項１に記載のワイヤレスパワートランスミッタであって、
前記パワートレインが、電力をワイヤレスに受信するためにワイヤレスパワーレシーバが置かれるべき表面を含む、ワイヤレスパワートランスミッタ。
【請求項１１】
ワイヤレスパワートランスミッタであって、
ＬＣタンク回路と、前記ＬＣタンク回路に結合される少なくとも１つのトランジスタとを含む、パワートレインと、
前記パワートレインに関連付けられるアナログ信号を受信してデジタル値に変換するように結合されるアナログデジタルコンバータ（ＡＤＣ）と、
パルスを前記パワートレインの前記少なくとも１つのトランジスタに印加させるように構成されるコントローラであって、それにより、前記パワートレインの前記ＬＣタンク回路に、
共振周波数でリンギングさせ、
前記パワートレインがリンギングしている間に得られる前記ＡＤＣからの前記リンギングを示すデジタル値を受信させ、
前記リンギングの持続期間と前記リンギングの減衰率とリンギング期間の初めのピーク振幅を示す値とを計算させ、
前記リンギングの前記持続期間を示す前記値が空ワイヤレスパワートランスミッタ持続期間閾値より大きい場合に、ワイヤレスパワーレシーバも異物も前記ワイヤレスパワートランスミッタ上又は付近に存在しないと判定させ、
前記持続期間を示す前記値が前記空ワイヤレスパワートランスミッタ持続期間閾値より小さく、前記減衰率が減衰率閾値より大きく、前記ピーク振幅がピーク振幅閾値より大きい場合に、前記ワイヤレスパワートランスミッタ上又は付近に異物が存在すると判定させ、
前記持続期間を示す前記値が前記空ワイヤレスパワートランスミッタ持続期間閾値より小さく、前記減衰率の少なくとも１つが前記減衰率閾値より小さいか又は前記ピーク振幅が前記ピーク振幅閾値より小さい場合に、異物を備えないワイヤレスパワーレシーバが前記ワイヤレスパワートランスミッタ上又は付近に存在すると判定させる、前記コントローラと、
を含む、ワイヤレスパワートランスミッタ。
【請求項１２】
請求項１１に記載のワイヤレスパワートランスミッタであって、
前記コントローラが、
前記リンギングの前記共振周波数を判定し、
前記判定された共振周波数に基づいて、前記ピーク振幅閾値と前記減衰率閾値との各々を計算する、
ように更に構成される、ワイヤレスパワートランスミッタ。
【請求項１３】
請求項１１に記載のワイヤレスパワートランスミッタであって、
異物が存在すると判定すると、前記コントローラが、ワイヤレスに搬送されるべき電力のレベルを低下させる、ワイヤレスパワートランスミッタ。
【請求項１４】
方法であって、
少なくとも１つのトランジスタとＬＣタンク回路とを含むワイヤレス充電パワートレインを複数のパルスでピングして、それにより、前記パワートレインの前記ＬＣタンク回路にリンギングさせることと、
リンギングする前記パワートレインから演算される値に基づいて、ワイヤレスパワーレシーバがワイヤレスパワートランスミッタ上又は付近に存在するか又は前記ワイヤレスパワートランスミッタ上に異物が存在するかを判定することと、
を含む、方法。
【請求項１５】
請求項１４に記載の方法であって、
前記ワイヤレスパワートランスミッタ上にワイヤレスパワーレシーバが存在するか又は前記ワイヤレスパワートランスミッタ上に異物が存在するかを判定することが、
リンギングする前記パワートレインに関連付けられる持続期間を判定することと、
前記持続期間が空パッド持続期間閾値を超える場合に、ワイヤレスパワーレシーバも異物も前記ワイヤレスパワートランスミッタ上又は付近に存在しないと判定することと、
を含む、方法。
【請求項１６】
請求項１４に記載の方法であって、
リンギング期間の初めに前記リンギングのピーク振幅を判定することと、
前記リンギングの減衰率を判定することと、
前記ピーク振幅が前記ピーク振幅閾値を超えることと、前記減衰率が前記減衰率閾値を超えることとに基づいて、前記ワイヤレスパワートランスミッタ上又は付近に異物が存在すると判定することと、
を更に含む、方法。
【請求項１７】
請求項１６に記載の方法であって、
前記ピーク振幅が前記ピーク振幅閾値を超えないことか、又は前記減衰率が前記減衰率閾値を超えないことのいずれかと、
前記リンギングの持続期間が空パッド持続期間閾値を超えないことと、
に基づいて、前記ワイヤレスパワートランスミッタ上又は付近にワイヤレスパワーレシーバが存在すると判定することと、
を更に含む、方法。
【請求項１８】
請求項１６に記載の方法であって、
前記リンギングの前記共振周波数を判定することと、
前記判定された共振周波数に基づいて、前記ピーク振幅閾値と前記減衰率閾値との各々を計算することと、
を更に含む、方法。
【請求項１９】
請求項１６に記載の方法であって、
前記ワイヤレスパワートランスミッタの表面上に異物が存在すると判定すると、ワイヤレスに搬送される電力の量を低減することを更に含む、方法。
【請求項２０】
請求項１４に記載の方法であって、
前記パワートレインをピングすることが、複数の電気的パルスを前記パワートレインに提供することを含む、方法。
【請求項２１】
ワイヤレスパワートランスミッタであって、
ＬＣタンク回路と、前記ＬＣタンク回路に結合される少なくとも１つのトランジスタとを含む、パワートレインと、
前記パワートレンに関連するアナログ信号を受信してデジタル値に変換するように結合されるアナログデジタルコンバータ（ＡＤＣ）と、
前記パワートレインに結合されるパルス発生器であって、
前記パルス発生器によって発生されるパルスを前記少なくとも１つのトランジスタに印加させて、それにより、前記パワートレインの前記ＬＣタンク回路をリンギングさせ、
前記パワートレインの前記ＬＣタンク回路がリンギングしている間で前記パルスが終了した後に得られる前記ＡＤＣからのデジタル値を受信し、
前記パワートレインの前記リンギングの前記デジタル値の解析に基づいて、ワイヤレスパワーレシーバが前記ワイヤレスパワートランスミッタ上又は付近に存在するか、又は異物が前記ワイヤレスパワートランスミッタ上又は付近に存在するかを判定する、
ように構成される、前記パルス発生器と、
を含む、ワイヤレスパワートランスミッタ。
【請求項２２】
ワイヤレスパワートランスミッタであって、
ＬＣタンク回路と、前記ＬＣタンク回路に結合される少なくとも１つのトランジスタとを含む、パワートレインと、
前記パワートレインに関連するアナログ信号を受信してデジタル値に変換するように結合されるアナログデジタルコンバータ（ＡＤＣ）と、
前記パワートレインに結合されるパルス発生器であって、
前記パルス発生器によって発生されたパルスを前記パワートレインの前記少なくとも１つのトランジスタに印加させて、それにより、前記パワートレインの前記ＬＣタンク回路を共振周波数でリンギングさせ、前記パワートレインがリンギングしている間に得られる前記ＡＤＣからの、前記リンギングを示すデジタル値を受信し、前記リンギングの継続期間を示す値と前記リンギングの減衰率とリンギング期間の最初でのピーク振幅とを計算させるように構成され、そして、
前記リンギングの継続期間を示す値が空ワイヤレスパワートランスミッタ継続期間閾値よりも大きい場合に、ワイヤレスパワーレシーバも異物も前記ワイヤレスパワートランスミッタ上又は付近に存在しないと判定し、
前記リンギングの継続期間を示す値が前記空ワイヤレスパワトランスミッタ継続期間閾値よりも小さく、前記減衰率が減衰率閾値よりも大きく、前記ピーク振幅がピーク振幅閾値よりも大きい場合に、異物が前記ワイヤレスパワートランスミッタ上又は付近に存在すると判定し、
前記リンギングの継続期間を示す値が空ワイヤレスパワートランスミッタ継続期間閾値よりも小さく、そして、前記減衰率が前記減衰率よりも小さいか又は前記ピーク振幅が前記ピーク振幅閾値よりも小さいかの少なくとも１つである場合に、異物を備えないワイヤレスパワーレシーバが前記ワイヤレスパワートランスミッタ上又は付近にあると判定する、
ように構成される、前記パルス発生器と、
を含む、ワイヤレスパワートランスミッタ。